(57)【要約】【課題】水位検知手段の異常を特別な水位センサ等を設けることなく、容易に検知出来る開放式給湯装置を提供する。【解決手段】加熱手段２で加熱された温水を貯湯する貯湯缶体１と、前記貯湯缶体１には給水電磁弁１１を備えた給水管７が連通し、この給水電磁弁１１を貯湯缶体１内の水位を検知する水位検知手段１４の水位に応じて開閉し常に一定水位を保持して、貯湯缶体１上部に大気開放室１６を形成し、更に給湯管１７には給湯の必要有無で発停される給湯加圧ポンプ２０を備えたもので、前記給湯加圧ポンプ２０が停止状態で、給水電磁弁１１が所定時間以上開成では、前記水位検知手段１４が異常と判断し給水を停止させる異常検知手段４７を備えたことで、水位センサ等の別部品を追加することなく、既存の部品を使用して容易に水位検知手段１４の異常を検知することが出来る。【選択図】図１
2006226557.tif 000002
【特許請求の範囲】
【請求項１】
加熱手段で加熱された温水を貯湯する貯湯缶体と、前記貯湯缶体には給水電磁弁を備えた給水管が連通し、この給水電磁弁を貯湯缶体内の水位を検知する水位検知手段の水位に応じて開閉し常に一定水位を保持して、貯湯缶体上部に大気開放室を形成し、更に給湯管には給湯の必要有無で発停される給湯加圧ポンプを備えたものに於いて、前記給湯加圧ポンプが停止状態で、給水電磁弁が所定時間以上開成では、前記水位検知手段が異常と判断し給水を停止させる異常検知手段を備えた事を特徴とする開放式給湯装置。
【請求項２】
加熱手段で加熱された温水を貯湯する貯湯缶体と、前記貯湯缶体には給水電磁弁及びフローセンサを備えた給水管が連通し、この給水電磁弁を貯湯缶体内の水位を検知する水位検知手段の水位に応じて開閉し常に一定水位を保持して、貯湯缶体上部に大気開放室を形成し、更に給湯管には給湯の必要有無で発停される給湯加圧ポンプを備えたものに於いて、前記給湯加圧ポンプが停止状態で、フローセンサが流水を検知した時には、前記水位検知手段又は給水電磁弁が異常と判断し給水を停止させる異常検知手段を備えた事を特徴とする開放式給湯装置。
【請求項３】
前記異常検知手段は、給水を停止すると共に、異常状態である旨を警報又は表示或いは両方で報知する事を特徴とする請求項１及び２記載の開放式給湯装置。
【発明の詳細な説明】
【技術分野】
【０００１】
この発明は、貯湯缶体内に給水圧がかからずに、大気開放状態とした貯湯式の給湯装置に関するものである。
【背景技術】
【０００２】
従来よりこの種の開放式給湯装置では、貯湯缶体内のレベルセンサである水位検知手段で水位を検知して給水電磁弁開閉制御して一定の水位を保持するものであり、又給湯は給湯加圧ポンプで圧送するものであった。（例えば、特許文献１参照）
【特許文献１】特公平７−１１７２９３号公報
【発明の開示】
【発明が解決しようとする課題】
【０００３】
ところでこの従来のものでは、水位検知手段や給水電磁弁が故障した場合、給水が止まらずそのままオーバーフロ管から排水されてしまうもので、不経済であり、又使用者はお湯が出てこないことでようやく不具合を知るもので、それまで何ら知ることが出来ず、使用勝手が極めて悪いものであった。
【課題を解決するための手段】
【０００４】
この発明はこの点に着目し、上記欠点を解決する為、特にその構成を、請求項１では、加熱手段で加熱された温水を貯湯する貯湯缶体と、前記貯湯缶体には給水電磁弁を備えた給水管が連通し、この給水電磁弁を貯湯缶体内の水位を検知する水位検知手段の水位に応じて開閉し常に一定水位を保持して、貯湯缶体上部に大気開放室を形成し、更に給湯管には給湯の必要有無で発停される給湯加圧ポンプを備えたものに於いて、前記給湯加圧ポンプが停止状態で、給水電磁弁が所定時間以上開成では、前記水位検知手段が異常と判断し給水を停止させる異常検知手段を備えたものである。
【０００５】
請求項２では、加熱手段で加熱された温水を貯湯する貯湯缶体と、前記貯湯缶体には給水電磁弁及びフローセンサを備えた給水管が連通し、この給水電磁弁を貯湯缶体内の水位を検知する水位検知手段の水位に応じて開閉し常に一定水位を保持して、貯湯缶体上部に大気開放室を形成し、更に給湯管には給湯の必要有無で発停される給湯加圧ポンプを備えたものに於いて、前記給湯加圧ポンプが停止状態で、フローセンサが流水を検知した時には、前記水位検知手段又は給水電磁弁が異常と判断し給水を停止させる異常検知手段を備えたものである。
【０００６】
請求項３では、前記異常検知手段は、給水を停止すると共に、異常状態である旨を警報又は表示或いは両方で報知するようにしたものである。
【発明の効果】
【０００７】
請求項１の発明によれば、水位センサ等の別部品を追加することなく、既存の部品を使用して容易に水位検知手段の異常を検知することが出来、そして異常を検知した時には給水を停止するので、無駄に水が排水されることがなく、経済的であり安心して使用出来るものである。
【０００８】
請求項２の発明によれば、水位検知手段と共に給水電磁弁の故障も検知出来、特に塵がみで給水電磁弁が閉口出来ない時には有効であり、無駄に水を排水することなく、経済的であり安心して使用出来るものである。
【０００９】
又請求項３の発明によれば、異常状態を報知して使用者に知らせるので、使用者は点検や修理を依頼する等、必要とする処置を素早く講ずることが出来、常に安心して使用出来るものである。
【発明を実施するための最良の形態】
【００１０】
次にこの発明の開放式給湯装置の一実施形態について説明する。
１は温水を貯湯する貯湯缶体、２は温水を加熱する加熱手段としてのヒートポンプユニット、３は浴槽である。
【００１１】
４は貯湯缶体１とヒートポンプユニット２を循環可能に接続する加熱循環回路で、加熱循環ポンプ５を有し貯湯缶体１の下部に接続されたヒーポン往き管４ａ及び貯湯缶体１上部に接続されたヒーポン戻り管４ｂより構成され、貯湯缶体１下部の冷水をヒーポン往き管４ａを介してヒートポンプユニット２で加熱し、加熱された高温の温水をヒーポン戻り管４ｂで貯湯缶体１上部に戻して貯湯缶体１内に温水を加熱貯湯するものである。なお、貯湯缶体１の外周面には縦に複数個の貯湯温度センサ６ａ、６ｂ、６ｃ、６ｄ、６ｅ、６ｆ、６ｇを有しており、この貯湯温度センサが所定温度以上を検出することで貯湯量を検知するものである。
【００１２】
７は貯湯缶体１に水を供給する給水管で、途中には貯湯缶体１側から２個の逆止弁８、９と給水圧で閉じられ断水による負圧で大気開放する逆流水開放弁１０と、給水の開始、停止を制御する給水電磁弁１１とが一つのセットとして備えられており、又給水電磁弁１１より給水側には異常遮断用の電磁弁１２と減圧逆止弁１３が備えられている。
【００１３】
１４は貯湯缶体１の上端から内方に垂下された２本の電極から成る水位検知手段で、３７０Ｌを貯湯する為に、貯湯量が下がればこれを検知して給水電磁弁１１を開成し水を補給し、そして所定量になればこれを検知して給水電磁弁１１を閉成し水の補給を停止するものであり、湯水の最上面と貯湯缶体１上端面との間には、エアー抜き管１５を介して大気開放された大気開放室１６が形成されている。
【００１４】
１７は貯湯缶体１上部に連通した給湯管で、蛇口１８を開くことによる水の流れをフロースイッチ１９が検知して駆動開始する給湯加圧ポンプ２０を備え、貯湯缶体１内の湯水を逆止弁２１、給湯混合弁２２、給湯サーミスタ２３、流量カウンター２４を介して蛇口１８から設定温度の給湯を行うものであり、これは給湯混合弁２２で給水管７から分岐した給水パイパス管２５の給水と湯水を設定温度となるように混合して供給しているからであり、給湯停止時には給水側を開口して蛇口１８開口時の水流を作るものである。
【００１５】
２６は貯湯缶体１内上部の湯水中に位置された風呂熱交換器で、風呂往き管２７と風呂戻り管２８を介して浴槽３と連通して、風呂の保温及び追い焚きを行う風呂循環回路２９を構成するもので、この風呂循環回路２９には水位センサー３０、風呂電動弁３１、風呂循環ポンプ３２、循環温サーミスタ３３、風呂フロースイッチ３４、風呂熱交換器２６のバイパス路を形成する風呂保温三方弁３５、追い焚き検知サーミスタ３６とが備えられている。
【００１６】
３７は給湯管１７の逆止弁２１と給湯混合弁２２の間と風呂循環回路２９を結ぶ湯張り回路で、給湯水に給水を混ぜて風呂設定温度に設定する風呂混合弁３８と、湯張り電磁弁３９、風呂流量カウンタ４０、風呂逆流開放弁４１、２個の逆止弁４２、４３がそれぞれ備えられている。
【００１７】
４４は給湯加圧ポンプ２０後方の給湯管１７に設けた中温水三方弁で、貯湯缶体１で風呂熱交換器２６の直ぐ下の位置に連通した中温水取り出し管４５が接続し、風呂熱交換器２６で保温や追い焚きした後の中温水を取り出して給湯に利用するものである。
４６は貯湯缶体１の水位検知手段１４で保持される一定水位より上の位置で大気開放室１６に連通したオーバーフロー管である。
【００１８】
次に図２に示す要部電気回路のブロック図を説明すれば、制御回路（図示せず）の一部を構成する異常検知手段であるマイコン４７の入力側には、水位検知手段１４とフロースイッチや流量カウンター等から成るフロースイッチ１９が接続し、出力側には給水電磁弁１１と異常遮断用の電磁弁１２と給湯加圧ポンプ２０が接続し、又警報を発するブザー４８や液晶等の表示部４９も接続されている。
【００１９】
次に、この開放式給湯装置の特徴的作動を以下に説明する。
前記貯湯缶体１内の湯水は、時間帯別電灯契約や深夜電力等の安価な電力を利用し、ヒートポンプユニット２に加熱循環回路４を介して順次循環させることで、翌朝には９０℃の湯水を３７０Ｌ貯湯するものである。
【００２０】
そして、蛇口１８を開くと給水バイパス管２５を介しての給水の流れが出来、これをフロースイッチ１９が検知することで、給湯加圧ポンプ２０が駆動開始して貯湯缶体１内の高温水を、給湯混合弁２２で給水と混合して設定温度の温水として蛇口１８から供給するものであり、又蛇口１８を閉じることによる流水の停止をフロースイッチ１９が検知して給湯加圧ポンプ２０の駆動を停止して給湯が終了するものである。
【００２１】
一方給湯中に貯湯缶体１では、貯湯温水が減少することにより、水位検知手段１４がこれを検知して給水電磁弁１１を開成することで、給水管７から貯湯缶体１底部へ給水圧で補水がなされ貯湯水位が上昇し所定水位に達すると、水位検知手段１４がこれを検知して給水電磁弁１１を閉成して給水が停止されるものである。
【００２２】
又この給水管７には、２個の逆止弁８、９があり、しかも給水電磁弁１１がその上流側に備えられているので、貯湯缶体１内の湯水の逆流は確実に阻止されるものであり、更に断水等による負圧に対しては、給水電磁弁１１で遮断するが、給水時については、逆流水開放弁１０が給水圧がなくなることで開放して、負圧が解消されることで、逆流が確実に防止されるものであり、水位検知手段１４による貯湯缶体１の水位を見ながらの給水電磁弁１１の制御で、貯湯缶体１に給水圧がかからない給湯を、機械的な部品の使用をなくして信頼性の高い構成で実現したので、貯湯缶体１の形状や材料を強度をあまり気にすることなく、容易に変更出来、安価に提供出来ると共に、故障等の心配もなく安心して使用出来るものである。
【００２３】
次に水位検知手段１４が故障した場合について図３のフローチャートで説明すれば、今給湯が行われて貯湯缶体１内の湯水が減少しステップ５０で給水電磁弁１１がＯＮされて開成し給水が開始する。
【００２４】
そしてステップ５１に進み水位検知手段１４が一定水位を検知したかをマイコン４７が判断し、ＹＥＳではステップ５２で給水電磁弁１１をＯＦＦし給水が停止され、ＮＯではステップ５３に進んで給湯加圧ポンプ２０が停止状態かを見て、駆動中であった場合はＮＯでステップ５１に戻り、ＹＥＳではステップ５４に進み給水電磁弁１１が一定時間以上開状態を継続していることを確認後、ＹＥＳで水位検知手段１４が故障中と判断し、ステップ５５で異常遮断用の電磁弁１２を強制的に閉口して給水を止めると共に、ブザー４８を鳴らし、表示部４９に「Ｅ０」を表示させて水位検知手段１４が異常状態であることを報知するものである。
【００２５】
即ち、給湯が行われていない状態では、貯湯缶体１内の湯水は減少しないので、この状態で給水電磁弁１１が開成しているのは異常であり、水位検知手段１４が故障していると判断出来、その為に給湯加圧ポンプ２０の駆動状態及び給水電磁弁１１の開状態を確認するものである。
【００２６】
次に図４、５、６に示す他の一実施形態について説明するが、先に説明した実施形態と同一部分には同一符号を付し説明を省略し、相違部分のみ説明する。
５６は給水管７の２個の逆止弁８、９と貯湯缶体１との間に備えられたフローセンサで、図５に示す電気回路的にはマイコン４７の入力側に接続され、水流を検知して信号を出力するものである。
【００２７】
更に図６のフローチャートでは前記フローチャートのステップ５３と５４の間に給水電磁弁１１に閉止信号が出ているかを確認するステップ５７と、これがＹＥＳでステップ５８に進んでフローセンサ５６が水流を検知しているかを判断し、ＹＥＳでステップ５９に進んで異常遮断用の電磁弁１２を強制的に閉口して給水を止めると共に、ブザー４８を鳴らし、表示部４９に「Ｅ１」を表示させて給水電磁弁１１が異常状態であることを報知するものである。
【００２８】
又給水電磁弁１１に閉止信号が出ているかを確認するステップ５７でＮＯの場合には、そのままステップ５４に進み給水電磁弁１１が一定時間以上開状態を継続していることを確認後、ＹＥＳで水位検知手段１４が故障中と判断し、ステップ５５で異常遮断用の電磁弁１２を強制的に閉口して給水を止めると共に、ブザー４８を鳴らし、表示部４９に「Ｅ０」を表示させて水位検知手段１４が異常状態であることを報知するものである。
【００２９】
即ち、給湯が行われていない状態では、貯湯缶体１内の湯水は減少しないので、この状態で給水電磁弁１１が開成しているのは異常であり、しかも給水電磁弁１１に閉止信号が出ているのに、フローセンサ５６が水流を検知するのは、給水電磁弁１１が塵詰まり等で閉止出来ず故障していると判断出来、その為に給湯加圧ポンプ２０の駆動状態及び給水電磁弁１１の信号状態を確認するものであり、又給水電磁弁１１に閉止信号が出ておらず、該給水電磁弁１１が一定時間以上開状態を継続していれば、水位検知手段１４が故障していると判断されるものである。
【００３０】
尚、この一実施形態では、加熱手段をヒートポンプユニット２としたが、これに限定されることなく、例えば電気ヒーターとしても良いものである。
【図面の簡単な説明】
【００３１】
【図１】この発明の一実施形態の概略構成図。
【図２】同要部電気回路のブロック図。
【図３】同要部フローチャート。
【図４】この発明の他の実施形態の概略構成図。
【図５】同他の要部電気回路のブロック図。
【図６】同他の要部フローチャート。
【符号の説明】
【００３２】
１  貯湯缶体
２  ヒートポンプユニット（加熱手段）
７  給水管
１１  給水電磁弁
１４  水位検知手段
１６  大気開放室
１７  給湯管
２０  給湯加圧ポンプ
４６  オーバーフロー管
４７  マイコン（異常検知手段）
４８  ブザー
４９  表示部
５６  フローセンサ
【図１】
2006226557.tif 000003
【図２】
2006226557.tif 000004
【図３】
2006226557.tif 000005
【図４】
2006226557.tif 000006
【図５】
2006226557.tif 000007
【図６】
2006226557.tif 000008